(57)【特許請求の範囲】
【請求項１】
いずれも矩形をなす液晶デバイス、複数の光学シート、導光板が重ね合わされるとともに前記導光板の相対して向かい合う２辺のいずれか一方に沿って光源ランプが配され、さらにこれらが底の浅い板状の枠体の内側に填め込まれて一体となった液晶表示装置において、
前記２辺間にあって相対する前記導光板の両側縁には外方に張り出す突起が形成され、前記枠体には各突起に対応してこれらを嵌合される凹所が形成されており、
前記光源ランプ側からみてより遠くに位置する前記突起の端面と、該端面と隣り合う前記側縁との間には、光源ランプに近づくに従って導光板の前記両側縁間の幅を漸次拡大させて側縁と突起とを繋ぐように形成された拡幅部が設けられ、
さらに、前記光源ランプ側からみてより遠くに位置する前記突起の端面に、前記側縁の接平面と直交する接平面を有する部位が設けられ、
前記光源ランプ側からみてより遠くに位置する前記突起の端面と該突起の側面とが交差する角に凸曲面が設けられ、
前記突起の張出し方向における前記拡幅部の寸法と前記凸曲面の曲率半径との和が、前記突起の張出し幅であることを特徴とする液晶表示装置。
【請求項２】
前記突起の端面と該突起の側面とが交差する角に凸曲面が設けられ、前記光源ランプ側から見てより近くに位置する前記突起の端面とこれに隣り合う前記側縁との角には凹曲面が設けられていることを特徴とする請求項１記載の液晶表示装置。
【請求項３】
前記拡幅部が滑らかな曲面形状に形成されていることを特徴とする請求項１または２記載の液晶表示装置。
【請求項４】
請求項１、２または３記載の液晶表示装置を内蔵することを特徴とする携帯用情報端末機器。
【請求項５】
いずれも矩形をなす液晶デバイス、複数の光学シート、導光板が重ね合わされるとともに前記導光板の相対して向かい合う２辺に沿ってそれぞれ光源ランプが配され、さらにこれらが底の浅い枠体の内側に填め込まれて一体となった液晶表示装置において、
前記２辺間にあって相対する前記導光板の両側縁には外方に張り出す突起が形成され、前記枠体には前記各突起に対応してこれらを嵌合される凹所が形成されており、
前記突起の向かい合う端面と、該端面と隣り合う前記側縁との間には、光源ランプに近づくに従って導光板の前記両側縁間の幅を漸次拡大させて側縁と突起とを繋ぐように形成された拡幅部がそれぞれ設けられ、
さらに、前記突起の前記各端面には、前記側縁の接平面と直交する接平面を有する部位が設けられ、
前記突起の前記各端面と該突起の側面とが交差する角にそれぞれ凸曲面が設けられ、
前記突起の張出し方向における前記拡幅部の寸法と前記凸曲面の曲率半径との和が、前記突起の張出し幅であることを特徴とする液晶表示装置。
【請求項６】
請求項５記載の液晶表示装置を内蔵することを特徴とする携帯用情報端末機器。
【発明の詳細な説明】
【０００１】
【発明の属する技術分野】
本発明は、ラップトップコンピュータやノート型パーソナルコンピュータ等の携帯用情報端末機器の蓋体に、映像を表示する手段として取り付けられる液晶表示装置に関するものである。
【０００２】
【従来の技術】
ラップトップコンピュータに代表される携帯用情報端末機器には、本体の上縁に沿って軸支されて本体上面に設けられたキーボードを覆うように開閉する蓋体が設けられており、この蓋体には映像を表示する液晶表示装置が取り付けられている。
【０００３】
液晶表示装置は、Ｂ／Ｌ（バックライト）ユニットと額縁状の押さえ枠とで液晶デバイスパネル（以下、ＬＣＤパネル）を挟んで一体化した構造となっている。このうち、Ｂ／Ｌユニットは複数の拡散シートおよびプリズムシート、導光板、反射シートを順に重ね合わせ、導光板の下部に光源ランプおよびリフレクタ（反射鏡）を配してベースとなる板状の枠体（以下、シャーシと呼称する）上に固定した構造となっている。
【０００４】
Ｂ／Ｌユニットの構成要素のうち、導光板は光源ランプから発せられる光を上方に伝播させてＬＣＤパネルの表示面全体に均一に光を供給する役割を担うものであり、その形状は平面視すると矩形で縦方向の断面形状は光源ランプに近い下縁側ほど厚く、光源ランプから遠い上縁側ほど薄いくさび形となっている。
【０００５】
図６にシャーシ１００に対する導光板１０１の固定構造を示す。導光板１０１の両側縁には外方に張り出すように突起１０２，１０２が形成されており、導光板１０１はこれら突起１０２，１０２をシャーシ１００の縁に形成された凹所１０３，１０３に嵌合させることで、シャーシ１００上の定位置に固定されるようになっている。これは、携帯用情報端末機器を落とすなど大きな衝撃が加わった場合に、導光板１０１が下方に移動し光源ランプ（図示略）を圧迫して損傷するといった事態を防止するための構造である。
【０００６】
ところで、携帯用情報端末機器においては、市場の要望を反映して小型化が進められており、近年ではキーボード面の占める大きさとほぼ同程度にまで本体が小型化された機種も登場している。また、市場には本体の小型化を望む声の一方で液晶表示装置の表示面の拡大を望む声もあり、こういった市場の要望を取り入れるかたちで、近年の携帯用情報端末機器においては蓋体の狭額縁化が進められている。
【０００７】
ラップトップコンピュータの場合、蓋体は本体とほぼ同じ外寸となるため、本体の小型化が進むとこれに伴い蓋体も小型化される。このように小型化が進む蓋体について表示面を拡大しようとすれば、表示面のみを拡大し液晶表示装置を納める蓋体の額縁の幅を狭くすることになる。これが蓋体の狭額縁化である。
【０００８】
【発明が解決しようとする課題】
図６のような導光板の固定構造を有する従来の液晶表示装置においては、突起の上部に近接する位置に輝点が生じることがわかっている。この現象は、如何なる場所でも光の伝播が均一な状態で行われるべき導光板の両側縁に突起を設けたことで、突起によって光の反射状態が変化し伝播の均一性が崩れて突起の上部に近接する位置に明暗が生まれるために起こる。
【０００９】
この輝点は、蓋体の額縁がある程度の幅を有していれば（図６(ａ)参照、符号１０５は額縁）額縁に隠れてしまい、実際の表示面には現れなくなるので、従来ではさほど問題とはならなかった。しかしながら、こういった輝点は狭額縁化が進むにつれて（図６(ｂ)参照）表示面に現れるようになり、表示面に映し出された額縁付近の映像が見辛くなるといった問題を生んでいる。
【００１０】
本発明は上記の事情に鑑みてなされたものであり、蓋体の狭額縁化を進めるにあたって問題となる輝点を目立たなくして、額縁付近の映像を鮮明に映し出すことを目的としている。
【００１１】
【課題を解決するための手段】
上記の課題を解決するための手段について述べる前に、従来において図６のような導光板の固定構造を採用するに至った経緯を説明する。
上記のような導光板による光源ランプの損傷を防止するために、導光板の側縁に突起を設け、シャーシには凹所を設けて両者を嵌合させることは容易に想到されることであるが、ここで問題となるのはその配設位置である。額縁により覆われるとはいえ輝点の発生は考慮すべき問題である。そのため、導光板における突起の配設位置は、当初は側縁の上部もしくは下部とすることが検討されたが、そのいずれについても次のような理由により不採用となった。
【００１２】
まず、第１の理由として、導光板の働きは光源ランプから発せられる光を上方に伝播させて表示面全体に均一に光を供給することにあるが、この機能は導光板の形状を光源ランプに近い下縁側ほど厚く、光源ランプから遠い上縁側ほど薄いくさび形の断面形状としても支障なく発揮されることがわかっている。そこで、液晶表示装置について少しでも軽量化を図るため、導光板には上記のくさび形形状が採用されている。このくさび形形状の導光板について突起を側縁の上部に設けると、この部分の板厚が薄いために落下の衝撃が加わると突起の根元にクラックが生じてしまう恐れがある。
【００１３】
また、樹脂成形される導光板においてその断面形状をくさび形とするには、下縁（厚い側）にあたる部分から上縁（薄い側）に向けて樹脂を注入する成形型が使用されるが、突起を側縁の上部に設けようとすると、突起の型をなす凹みの部分が樹脂注入口から遠いために樹脂が届き難くなり、加工に手間がかかったり加工精度が低下するといった問題も生じてくる。
【００１４】
ちなみに、特開平10-48427号公報には、本願明細書でいうところの導光板の上縁（薄い側）に相当する位置にその固定構造を設けた技術が開示されている。この技術は、導光板の先端（上縁）に沿って折り返しのようなストッパーを設け、これをフレーム（本願明細書でいうところの押さえ枠もしくはシャーシに相当）に設けた凹部に噛み合わせることで導光板を固定するというものである。
【００１５】
当該公報の技術では、ストッパーを導光板の先端全体に設けることで導光板に作用する力を分散しており、落下等の衝撃に対する強度的には問題ないと思われるが、おそらく上記と同様の成形加工を行うであろう導光板の先端に複雑な形状のストッパーを形成するのは非常に困難であると考えられる。
【００１６】
第２の理由として、導光板を伝播する光量は下縁（光源ランプ）に近いほど多く、光が伝播する過程で表示面から散光して上縁に近づくほど（光源ランプから遠ざかるほど）減少する。そのため、突起を導光板の側縁下部に設けると、光量が多いために突起に近接して生じる明暗の差が大きくなり、輝点もはっきりと現れるようになる。
【００１７】
ちなみに、特開平9-243828号公報には本願明細書でいうところの側縁の下部にあたる位置にその固定構造を設けた技術が開示されている。この技術は、入射面側の側面（側縁下部、最も厚い側）に位置決め用の凸部を一体形成し、これをフレームに保持させることで導光板を固定するというものである。
【００１８】
当該公報の技術では、凸部の形を複雑な多面体状としこれに入射する光を各面において反射させて輝度ムラを低減するとなっているが、やはり上記と同様の形成加工を行うであろう導光板に公報に図示されるような複雑な形状の凸部を形成するのは非常に困難であると考えられる。
【００１９】
本題に戻り、上記第１の理由からすると突起はできるだけ下縁（厚い側）に近い位置に設けたほうが都合がよく、かたや上記第２の理由からすると突起は上縁（光源ランプから遠い側）に近い位置に設けたほうが都合がよい。そこで、従来では上記第１、第２の理由を回避する妥協案として突起を側縁中央に設けた図６のような固定構造が採用された。この場合だと輝点は表示面両側の中段に発生することになるのだが、際立った狭額縁化に至ってはいなかった従来では、輝点が額縁に隠れてしまったために特に問題とはならなかったのである。
【００２０】
上記のような経緯により採用された導光板の固定構造ではあったが、さらなる狭額縁化を進めるにあたって輝点が表示面に現れてしまうので、これを解決するための手段として新たに次のような構成の液晶表示装置を採用するとととした。
【００２１】
すなわち、本発明に係る請求項１に記載の液晶表示装置は、いずれも矩形をなす液晶デバイス、複数の光学シート、導光板が重ね合わされるとともに前記導光板の相対して向かい合う２辺のいずれか一方に沿って光源ランプが配され、さらにこれらが底の浅い板状の枠体の内側に填め込まれて一体となった液晶表示装置において、前記２辺間にあって相対する前記導光板の両側縁には外方に張り出す突起が形成され、前記枠体には各突起に対応してこれらを嵌合される凹所が形成されており、前記光源ランプ側からみてより遠くに位置する前記突起の端面と、該端面と隣り合う前記側縁との間には、光源ランプに近づくに従って導光板の前記両側縁間の幅を漸次拡大させて側縁と突起とを繋ぐように形成された拡幅部が設けられ、さらに、前記光源ランプ側からみてより遠くに位置する前記突起の端面に、前記側縁の接平面と直交する接平面を有する部位が設けられ、前記光源ランプ側からみてより遠くに位置する前記突起の端面と該突起の側面とが交差する角に凸曲面が設けられ、前記突起の張出し方向における前記拡幅部の寸法と前記凸曲面の曲率半径との和が、前記突起の張出し幅であることを特徴としている。
【００２２】
請求項１記載の液晶表示装置においては、導光板の内部を伝播する光が拡幅部に入射すると、拡幅部の境界で反射、拡散してしまうため、明暗の差が小さくなる。これにより、突起の上部に近接して表示面から見える輝点が目立たなくなる。
【００２３】
また、突起と側縁との間に拡幅部を形成することにより、落下等の衝撃に対する突起の強度が向上する。従来は突起の根元、すなわち突起と側縁との間に９０゜のコーナーが設けられており、導光板に衝撃が加わると該コーナーに応力集中が起こってクラックが生じる可能性があったが、拡幅部を形成することにより、導光板に衝撃が加わっても突起と側縁との間に応力集中は起こらなくなるのである。
【００２４】
さらに、導光板が拡幅部を備える形状となったことにより、導光板の生産性が向上する。先にも述べたように導光板は樹脂成形されるが、成形型に樹脂を注入する際、突起の型をなす凹みの部分に流入した樹脂が拡幅部の縁に沿って流れるようになるので、樹脂の流動性が向上して注入作業が行い易くなるのである。これに加えて、樹脂の流動性が向上することで凹みに型取られる突起の内部に生じる残留応力が小さくなり、硬化後の導光板に残留応力によって生じる変形が防止されるので、加工精度も向上する。
さらに、突起の端面に側縁と直交する部位を設けることにより、この部位を介して突起と凹所（すなわち導光板と枠体）との間に作用する力の向きが側縁とほぼ平行となり、衝撃が加わった際に導光板の上下の移動を規制する力が導光板の移動方向に相対する向きに作用する。これにより、導光板の枠体上でのズレに伴う輝点や輝線の発生が防止される。
【００２５】
請求項２記載の液晶表示装置は、請求項１記載の液晶表示装置において、前記突起の端面と該突起の側面とが交差する角に凸曲面が設けられ、前記光源ランプ側から見てより近くに位置する前記突起の端面とこれに隣り合う前記側縁との角には凹曲面が設けられていることを特徴としている。
【００２６】
請求項２記載の液晶表示装置においては、樹脂成形される導光板の離型性が高まる。
【００２７】
請求項３記載の液晶表示装置は、請求項１または２記載の液晶表示装置において、前記拡幅部が滑らかな曲面形状に形成されていることを特徴としている。
【００２８】
請求項３記載の液晶表示装置においては、拡幅部を滑らかな曲面形状に形成することにより、拡幅部に入射した光がより広範囲に反射、拡散するため、明暗の差がさらに小さくなる。これにより、輝点がさらに目立たなくなる。
【００３５】
請求項４記載の携帯用情報端末機器は、請求項１、２または３記載の液晶表示装置を内蔵することを特徴としている。
【００３６】
請求項４記載の携帯用情報端末機器においては、上記各請求項記載の液晶表示装置を内蔵することにより、輝点が目立たなくなって表示面が見やすくなる。また、耐衝撃性や耐振動性が高められて使い勝手がよくなる。さらに、導光板に関する生産性が高められることで製造コストの削減も可能になる。
【００３７】
請求項５記載の液晶表示装置は、いずれも矩形をなす液晶デバイス、複数の光学シート、導光板が重ね合わされるとともに前記導光板の相対して向かい合う２辺に沿ってそれぞれ光源ランプが配され、さらにこれらが底の浅い枠体の内側に填め込まれて一体となった液晶表示装置において、前記２辺間にあって相対する前記導光板の両側縁には外方に張り出す突起が形成され、前記枠体には前記各突起に対応してこれらを嵌合される凹所が形成されており、前記突起の向かい合う端面と、該端面と隣り合う前記側縁との間には、光源ランプに近づくに従って導光板の前記両側縁間の幅を漸次拡大させて側縁と突起とを繋ぐように形成された拡幅部がそれぞれ設けられ、さらに、前記突起の前記各端面には、前記側縁の接平面と直交する接平面を有する部位が設けられ、前記突起の前記各端面と該突起の側面とが交差する角にそれぞれ凸曲面が設けられ、前記突起の張出し方向における前記拡幅部の寸法と前記凸曲面の曲率半径との和が、前記突起の張出し幅であることを特徴としている。
【００３８】
請求項５記載の液晶表示装置においては、請求項１記載の液晶表示装置と同様に、導光板を伝播する光が拡幅部の境界で反射、拡散してしまうため、突起の上下の端面に近接する位置においても明暗の差が小さくなって輝点が目立たなくなる。また、落下等の衝撃に対する突起の強度が向上する、導光板の生産性が向上することも請求項１記載の液晶表示装置と同様である。
【００３９】
請求項６記載の携帯用情報端末機器は、請求項５記載の液晶表示装置を内蔵することを特徴としている。
【００４０】
請求項６記載の携帯用情報端末機器においては、上記請求項５記載の液晶表示装置を内蔵することにより、輝点が目立たなくなって表示面が見やすくなる。また、耐衝撃性や耐振動性が高められて使い勝手がよくなる。さらに、導光板に関する生産性が高められることで製造コストの削減も可能になる。
【００４１】
【発明の実施の形態】
本発明に係る液晶表示装置および携帯用情報端末機器の第１実施形態を図１ないし図３に示して説明する。なお、本発明は液晶表示装置に特徴を有するものなので携帯用情報端末機器の全体像については図示を省略する。
図１に液晶表示装置の構造を示す。図において、符号１はＬＣＤ（液晶デバイス）パネル、２はＢ／Ｌ（バックライト）ユニット、３は押さえ枠である。また、Ｂ／Ｌユニット２の構成要素を指す符号４，５は拡散シート、６，７はプリズムシート、８は導光板、９は反射シート、１０は光源ランプ、１１はシャーシ（枠体）、１２はリフレクタ、である。
【００４２】
Ｂ／Ｌユニット２は、拡散シート４，５、プリズムシート６，７、導光板８、反射シート９を図示の順に重ね合わせ、導光板８の下部に光源ランプ１０とリフレクタ１２とを配したうえで図示しない粘着テープでシャーシ１１上に固定することによって一体化される。また、ＬＣＤパネル１はＢ／Ｌユニット２と押さえ枠３との間に挟まれて固定される。
【００４３】
導光板８の両側縁には、外方に張り出すように突起１３，１３がそれぞれ形成され、導光板８を収めるシャーシ１１の両縁の立ち上がりには突起１３，１３に対応して凹所１４，１４がそれぞれ形成されており、導光板８は突起１３を凹所１４にそれぞれ嵌合させることでシャーシ１１上の定位置に固定されるようになっている。
【００４４】
凹所１４に嵌合させる突起１３を図２に示す。突起１３は平面視すると導光板８の上下方向に長い矩形状で、表裏の両面は導光板８と面一に形成されている。また、その側面１３ａは導光板８の側縁８ａと平行となっている。
【００４５】
突起１３の上下の端面１３ｂ，１３ｃのうち光源ランプ１０（図２には不図示）からみて遠くに位置する上の端面１３ｂと、該端面１３ｂと隣り合う側縁８ａとの間には、光源ランプ１０に近づくに従って導光板８の横方向の幅を漸次拡大させ側縁８ａと突起１３とを繋ぐようにして拡幅部１５が形成されている。本実施形態では、拡幅部１５の縁は側縁８ａと端面１３ｂとを滑らかに繋ぐ曲率半径Ｒの凹曲面１６をなしている。
【００４６】
また、突起１３の上の端面１３ｂと側面１３ａとが交差する角は一見すると直角をなしているが、注視すると僅かに面取りされて曲率半径ｒの凸曲面１７をなしている。なお、突起１３の下の端面１３ｃと側面１３ａとの角にも曲率半径ｒの凸曲面１７が設けられ、端面１３ｃとこれに隣り合う端面８ａとの角には曲率半径ｒの凹曲面１７'が設けられている。これらの処理は、樹脂成形される導光板８の離型性を高めるためになされたものである。
【００４７】
ここで、導光板８の側縁８ａから外方に張り出す突起１３の張出し幅をＷとすると、凹曲面１６の曲率半径Ｒは突起１３の張出し幅Ｗから凸曲面１７の曲率半径ｒを差し引いた大きさとなっている。
【００４８】
一方、凹所１４は、拡幅部１５が設けられた突起１３を収めるべく同形をなしており、特に凹曲面１６に相対する位置には曲率半径Ｒの凸曲面１８が形成されてこれを受けている。
【００４９】
上記のように構成された液晶表示装置においては、導光板８の内部を伝播する光が拡幅部１５に入射すると、拡幅部１５の境界（凹曲面１６）で広範囲に反射、拡散してしまうため、表示面に現れる明暗の差が小さくなり、輝点が目立たなくなる。
【００５０】
また、拡幅部１５を形成したことにより、導光板８に衝撃が加わっても突起１３と側縁８ａとの間に応力集中が起こらなくなるので、落下等の衝撃に対する突起１２の強度が向上する。
【００５１】
ここで、凹曲面１６の曲率半径Ｒが大きければ大きいほど、この凹曲面１６から発生する輝点が目立たなくなるが、導光板８の上下方向への移動を規制するためには、突起１３の上の端面１３ｂと凹所１４の壁面とが直交している方が良い。そこで、凹曲面１６の曲率半径Ｒの最大値を突起１３の張出し幅Ｗから凸曲面１７の曲率半径ｒを差し引いた大きさとすることにより、拡幅部１５の縁と突起１３の上の端面１３ｂとの間に側縁８ａと直交する部位Ｓが設けられている。この部位Ｓを介して突起１３と凹所１４、すなわち導光板８とシャーシ１１との間に作用する力の向きが側縁８ａとほぼ平行となる。これにより、衝撃が加わった際に導光板８の上下の移動を規制する力が導光板８の移動方向に相対する向きに作用するので、導光板８のシャーシ１１上でのズレに伴う輝点や輝線の発生が防止される。なお、曲率半径Ｒは上述の最大値に限らなくとも、曲率半径ｒよりも大きければ輝点を目立たなくする効果は得られるため、元々の光量が弱かったり、輝点の最も強い部分を隠すといった工夫をすることによって、輝点の強さが弱い場合は、曲率半径Ｒを上述の最大値よりも小さくすることができる。
【００５２】
以上は液晶表示装置を使用するうえで得られる利点であるが、導光板８が拡幅部１５を備える形状となったことにより、導光板８の生産性が向上することも特筆される。先にも述べたように導光板８は樹脂成形されるが、成形型に樹脂を注入する際、突起１３の型をなす凹みの部分に流入した樹脂が拡幅部１５を型取る曲面に沿って流れるようになるので、樹脂の流動性が向上して注入作業が行い易くなる。これに加えて、樹脂の流動性が向上することで凹みに型取られる突起１３の内部に残留応力が生まれなくなり、硬化後の導光板８に残留応力によって生じる変形（これを" ひけ "という）が防止されるので、加工精度も向上する。
【００５３】
さらに、上記の液晶表示装置を内蔵する携帯用情報端末機器においては、輝点が目立たなくなって表示面が見やすくなる、耐衝撃性や耐振動性が高められることで使い勝手が良くなる、導光板８を含む液晶表示装置の生産性が高められることで製造コストの削減が可能になる等の効果が得られる。
【００５４】
ところで、本実施形態においては突起１３を側縁８ａのほぼ中央に形成した例を示した。これは、上記第１、第２の理由から採用されたものであるが、例えばこれらの理由が問題とならないのであれば、突起１３を側縁８ａの上部、または下部に近づけて形成したとしても構わない。
また、本実施形態においては光源ランプ１０を導光板８の下部に沿って配置する液晶表示装置を例に挙げて説明したが、本発明は例えば光源ランプを導光板の一方の側縁に沿って配置する構造の液晶表示装置にも適用できる。なお、この場合は突起は上下の側縁に設けられる。
【００５５】
また、本発明には含まれないが、拡幅部１５にはその他にも滑らかな曲面に準じた多面形状、曲面形状と多面形状を組み合わせた形状等、図３に示す多様な形状が採用される。図３(ａ)は拡幅部１５の縁を斜面１９で形成した例を示している。図３(ｂ)、図３(ｃ)はいずれも拡幅部１５の縁を斜面１９と凹曲面２０とを組み合わせて形成した例を示している。図３(ｄ)は拡幅部１５を３つの斜面１９ｄ，１９ｄ'，１９ｄ''を組み合わせて多面形状に形成した例を示している。図３(ｅ)は拡幅部１５を曲率の異なる３つの凹曲面２０ｅ，２０ｅ'，２０ｅ''を組み合わせて形成した例を示している。図３(ｆ)は拡幅部１５を斜面１９と曲率の異なるふたつの凹曲面２０ｆ，２０ｆ'とを組み合わせて形成した例を示している。図３(ｇ)は拡幅部１５をふたつの斜面１９ｇ，１９ｇ'と凹曲面２０とを組み合わせて形成した例を示している。
【００５６】
これらは導光板８の大きさ、形状、光源ランプ１０の仕様や数、突起１３の形成位置等の諸条件に応じて適宜選択されるが、こういった平面、曲面の組み合わせにより光の反射方向を調整して明暗の差を小さくすることが可能である。なお、突起１３の上の端面１３ｂには側縁８ａと直交する部位Ｓが残されることは言うまでもない。
【００５７】
次に、本発明に係る第２実施形態を図４ないし図５に示して説明する。なお、上記第１実施形態において既に説明した構成要素には同一符号を付して説明は省略する。
図４には導光板８'の上下に光源ランプ１０を備える液晶表示装置の概略構成を示す。この液晶表示装置の場合、導光板８'の断面はくさび形ではなく均一な厚さに形成されている。
【００５８】
突起１３'は第１実施形態と同じく導光板８'の中央下寄りに形成されているが、その形状は異なる。突起１３'を図５に示す。突起１３'には、上の端面１３'ｂと側縁８'ａとの間に形成された拡幅部１５と対称な拡幅部１５'が、下の端面１３'ｃと側縁８'ａとの間に形成されている。
【００５９】
上記のように構成された液晶表示装置においては、上に配置された光源ランプ１０から発せられる光により、突起１３'の下部に近接した位置にも明暗がつくられる。しかしながら本実施形態の液晶表示装置では、拡幅部１５'を形成したことにより、この位置に生まれる明暗についてもその差が小さくなって輝点が目立たなくなる。また、拡幅部１５'を形成したことによる突起１３'の耐衝撃性および耐振動性の向上、導光板８'の生産性の向上も図られる。
【００６０】
これにより、上記の液晶表示装置を内蔵する携帯用情報端末機器においては、輝点が目立たなくなって表示面が見やすくなる、耐衝撃性や耐振動性が高められることで使い勝手が良くなる、導光板８'を含む液晶表示装置の生産性が高められることで製造コストの削減が可能になる等の効果が得られる。
【００６１】
なお、本実施形態においても、拡幅部１５'に図３に示す様々な形状を取り入れても構わない。また、本実施形態においては光源ランプ１０を導光板８'の上下にそれぞれ配置する液晶表示装置を例に挙げて説明したが、本発明は例えば光源ランプを導光板の左右の側縁に沿ってそれぞれ配置する構造の液晶表示装置にも適用できる。なお、この場合は突起は上下の側縁に設けられる。
【００６２】
【発明の効果】
以上説明したように、本発明に係る請求項１記載の液晶表示装置によれば、拡幅部に入射した光が拡幅部の境界で反射、拡散してしまうため、明暗の差が小さくなるので、狭額縁化を進めるにあってその問題であった輝点を目立たなくして額縁付近の映像を鮮明に映し出すことができる。
【００６３】
また、突起と側縁との間に拡幅部を形成することにより、導光板に衝撃が加わっても突起と側縁との間に応力集中が起こらなくなるので、落下等の衝撃に対する突起の強度が向上する。これにより、液晶表示装置の耐衝撃性および耐振動性を高めることができる。
【００６４】
さらに、導光板が拡幅部を備える形状となったことにより、導光板を樹脂成形する際、突起の型をなす凹みに流入した樹脂が拡幅部に沿って流れるようになり、樹脂の流動性が向上して注入作業が行い易くなるので、導光板の生産性を向上させることができる。これに加え、樹脂の流動性が向上することで凹みに型取られる突起の内部に残留応力が生まれなくなり、硬化後の導光板に残留応力によって生じる変形が防止されるので、導光板の加工精度を向上させることもできる。
さらに、突起の端面に側縁と直交する部位を設けることにより、この部位を介して突起と凹所との間に作用する力の向きが側縁とほぼ平行となり、衝撃が加わった際に導光板の移動を規制する力が導光板に対し効果的に作用するので、導光板のシャーシ上でのズレに伴う輝線の発生を防止することができる。
【００６５】
請求項２記載の液晶表示装置によれば、樹脂成形される導光板の離型性を高めることができる。
【００６６】
請求項３記載の液晶表示装置によれば、拡幅部を滑らかな曲面形状に形成することにより、拡幅部に入射した光がより広範囲に反射、拡散するため、明暗の差がさらに小さくなるので、輝点をさらに目立たなくして額縁付近の鮮明さをさらに高めることができる。
【００７０】
請求項４記載の携帯用情報端末機器によれば、上記の構造を有する液晶表示装置を内蔵することにより、輝点が目立たなくなって表示面が見やすくなる。また、耐衝撃性や耐振動性が高められて使い勝手がよくなる。さらに、導光板に関する生産性が高められることで製造コストの削減も可能になる。
【００７１】
請求項５記載の液晶表示装置によれば、導光板を伝播する光が拡幅部の境界で反射、拡散してしまうため、突起の上下の端面に近接する位置においても明暗の差が小さくなるので、輝点を目立たなくして額縁付近の鮮明さをさらに高めることができる。また、液晶表示装置の耐衝撃性および耐振動性、ならびに導光板の加工精度を向上させることもできる。
【００７２】
請求項６記載の携帯用情報端末機器によれば、上記の構造を有する液晶表示装置を内蔵することにより、輝点が目立たなくなって表示面が見やすくなる。また、耐衝撃性や耐振動性が高められて使い勝手がよくなる。さらに、導光板に関する生産性が高められることで製造コストの削減も可能になる。
【図面の簡単な説明】
【図１】  本発明に係る液晶表示装置の第１実施形態を示す分解斜視図である。
【図２】  導光板に形成される突起と、シャーシに形成されて突起を嵌合される凹所とを示す平面図である。
【図３】  本発明には含まれないが、拡幅部に採用され得るその他の形状を示す平面図（参考図）である。
【図４】  本発明に係る液晶表示装置の第２実施形態を示す概略構成図である。
【図５】  導光板に形成される突起と、シャーシに形成されて突起を嵌合される凹所とを示す平面図である。
【図６】  (ａ)、(ｂ)いずれも、従来における導光板のシャーシに対する固定構造を示す平面図である。
【符号の説明】
１  ＬＣＤパネル
２  Ｂ／Ｌユニット
３  押さえ枠
４，５  拡散シート
６，７  プリズムシート
８  導光板
９  反射シート
１０  光源ランプ
１１  シャーシ
１２  リフレクタ
１３  突起
１４  凹所
１５  拡幅部
１６  凹曲面
【図１】
0003662788.tif 000002
【図２】
0003662788.tif 000003
【図３】
0003662788.tif 000004
【図４】
0003662788.tif 000005
【図５】
0003662788.tif 000006
【図６】
0003662788.tif 000007